(57)【要約】【課題】  タッチパネル上で手軽に音楽を作成でき、かつその曲を起動音やシャッタ音として記録することを特徴としたデジタルカメラを提供する。【解決手段】  タッチパネル下のＬＣＤモニタ１０９には、ピアノの鍵盤が表示されており、この状態でタッチパネルの鍵盤位置をタッチしながら、曲を作成し、作成した曲の再生や、音符の表示が実行される。作成した曲は、メモリカード１０５などに記録され、再生される。記録した曲は、カメラの起動時に再生されたり、またはシャッター音として再生される。【選択図】    図１
2005072809.tif 000002
【特許請求の範囲】
【請求項１】
画像を表示する表示画面と、この表示画面上にタッチパネルを配置したデジタルカメラにおいて、該画像表示画面にピアノの鍵盤を表示する手段と、該ピアノの鍵盤に対応したタッチパネルの位置をタッチしたときに、対応する音を生成する手段とを具備したことを特徴とするデジタルカメラ。
【請求項２】
生成された音を記録する記録手段と、記録された音を、カメラの起動時に再生する再生手段とを具備したことを特徴とする請求項１記載のデジタルカメラ。
【請求項３】
生成された音を記録する記録手段と、記録された音を、カメラのシャッター操作時に再生する再生手段とを具備したことを特徴とする請求項１記載のデジタルカメラ。
【発明の詳細な説明】
【技術分野】
【０００１】
本発明は、デジタルカメラを用いた音楽データの生成方法に関する。
【背景技術】
【０００２】
従来より液晶表示画面にタッチパネルを積層したデジタルカメラが存在する。このようなタッチパネルを搭載したデジタルカメラにおいて、タッチパネルをタッチしたりなぞったりすることにより、撮影操作や再生操作、あるいは絵を描くなどの操作が出来ることは周知のことである。また、デジタルカメラの電源を起動する時にあらかじめ内蔵した音楽を再生することで起動したことを知らせたり、シャッタボタンを押したときに、シャッター音を再生することで、ユーザーに撮影動作を認識させることができるデジタルカメラも存在する（例えば、特許文献１参照）。
【特許文献１】特開２００３−２０９７１９号公報（図１）
【発明の開示】
【発明が解決しようとする課題】
【０００３】
このように従来より存在していたタッチパネルを搭載したデジタルカメラにおいて、タッチパネルは上述したように、撮像操作や再生操作などで利用するだけで、他の利用方法は考えられていなかった。またデジタルカメラで音楽再生することも可能であったが、デジタルカメラの操作手段を用いてユーザが自由に音楽を作成することは困難であった。
【０００４】
そこで、本発明はタッチパネル上で手軽に音楽を作成でき、かつその曲を起動音やシャッタ音として記録することを特徴としたデジタルカメラを提供することを目的とするものである。
【課題を解決するための手段】
【０００５】
本発明は上述した課題を解決するため、画像を表示する手段と、その表示画面上にタッチパネルを配置し、該画像表示装置にピアノの鍵盤を表示する手段と、該ピアノの鍵盤に対応したタッチパネルの位置をタッチしたときに、対応する音を生成する手段と、タッチした時間に応じた長さの音を生成する手段と、タッチした強さに応じた大きさの音を生成する手段と、生成した音の音符記号を表示手段に表示する手段とを具備したものである。
【０００６】
また本発明は上述した課題を解決するため、生成された音を記録する記録手段と、記録された音を、カメラの起動時に再生する再生手段とを具備したものである。
【０００７】
また本発明は上述した課題を解決するため、生成された音を記録する記録手段と、記録された音を、カメラのシャッター操作時に再生する再生手段を具備したものである。
【発明の効果】
【０００８】
以上説明したように本発明によれば、デジタルカメラのタッチパネルをタッチすることで容易に音楽を作成でき、作成された曲を、記録、再生することができる。
【発明を実施するための最良の形態】
【０００９】
以下、図面を参照して本発明によるデジタルスチルカメラの実施の形態を説明する。
【００１０】
図1は、本発明の一実施形態を示すデジタルカメラの信号処理ブロック図である。図示のＡ／Ｄ変換後のＣＣＤ素子から出力される映像信号としてのデジタル信号１０１は、カメラ信号処理回路１０２、ＪＰＥＧ圧縮処理回路１０３、メモリ回路１０４を介し、圧縮された画像信号として不揮発性のメモリのメモリカード１０５に記録される。
【００１１】
再生時は、メモリカード１０５から読み出された画像が、ＪＰＥＧ伸長処理回１０３、メモリ回路１０４、ＶＩＤＥＯ／ＯＳＤ回路１０６を介し、ＬＣＤモニタ１０９上に表示される。
【００１２】
ＣＰＵ１１１は、タッチパネル１１０をタッチしたときのシステムの状態に応じて、タッチ位置を検出し、あらかじめ決められた処理を実行することにより、レンズのズーム、画像めくり、消去、スクロールなどの動作を実行する。
【００１３】
また、ＣＰＵ１１１は、タッチパネル１１０をタッチした位置、長さ、大きさに応じて、決められた音を生成する。これを連続してタッチすることにより曲を構成し、その曲は、メモリ回路１０４、音声処理回路１０７を介してスピーカ１０８から出力される。
【００１４】
図２は上述の曲作成方法の実施例であり、デジタルカメラ２０１の背面からみた図である。図１のタッチパネル１１０は、図２でも１１０で示している。
【００１５】
タッチパネル下のＬＣＤモニタ１０９には、ピアノの鍵盤２０２が表示されており、この状態でタッチパネルの鍵盤位置をタッチすると、タッチパネル１１０はタッチされた座標位置を位置信号として、ＣＰＵ１１１に送信する。この位置信号を基にＣＰＵ１１はタッチされた位置とそのタッチされた長さの検出を行い、その検出結果に対応して、音の再生と音符が表示され、表示された音符に従って曲を生成し、作成した曲の再生や、音符の表示が実行される。この場合は、ドレミファソラシドの鍵盤の例である。表示画面上タッチペン２０４が表示され、ドレミドとタッチしたときの時間が破線で軌跡として示してあり、そのときの音符が五線譜２０３上に表示してある。
【００１６】
このように作成した曲は、メモリカード１０５などに記録され、再生される。記録した曲は、カメラの起動時に再生されたり、シャッター音として再生されたり、再生画像上で作成したときに、その画像ファイルと関連付けて記録され、その画像を表示時に再生される。これらは、ユーザーがメニュー上で用意に設定することが可能であることは言うまでもない。
【００１７】
以上説明したように、本実施形態では、タッチパネルをタッチすることにより容易に曲を作成でき、作成された曲を記録再生することができる。そして、記録した曲は、カメラの起動時に再生されたり、シャッター音として再生されたりするものである。
【図面の簡単な説明】
【００１８】
【図１】本発明の一実施の形態によるデジタルスチルカメラのシステム構成を示すブロック図である。
【図２】同実施の形態によるデジタルスチルカメラの外観を示す図である。
【符号の説明】
【００１９】
１０１…デジタル信号、１０２…信号処理回路、１０３…ＪＰＥＧ圧縮処理回路、１０４…メモリ、１０５…メモリカード、１０６…ＶＩＤＥＯ／ＯＳＤ回路、１０７…音声処理回路、１０８…スピーカ、１０９…ＬＣＤモニタ、１１０…タッチパネル。
【図１】
2005072809.tif 000003
【図２】
2005072809.tif 000004